(57)【要約】【課題】弁箱の内周面に簡単に弁座を形成することができるバルブを提供する。【解決手段】バタフライ弁１は弁箱内周面２ｂを有する弁箱２と、リング状の弁座部材１２とを備え、弁箱内周面２ｂは弁座受部１０を有し、弁座受部１０は雌ねじ部１０ａを有し、弁座部材１２は雌ねじ部１０ａに対応する雄ねじ部１２ｅを有し、雄ねじ部１２ｅが雌ねじ部１０ａに螺合して弁座部材１２が弁座受部１０に取り付けられる。【選択図】図３
2018119576.tif 000002
【特許請求の範囲】
【請求項１】
流体が通過する流体通過面を有する弁箱と、
前記流体通過面に形成される雌ねじ部と、
前記雌ねじ部に対応する雄ねじ部を有するリング状の弁座部材と、を備え、
前記雄ねじ部は前記弁座部材の外周面に形成され、前記雌ねじ部に螺合することを特徴とするバルブ。
【請求項２】
前記弁箱は複数の弁箱用部材から構成されていることを特徴とする請求項１に記載のバルブ。
【請求項３】
前記バルブはバタフライ弁であることを特徴とする請求項１又は２に記載のバルブ。
【請求項４】
雌ねじ部が形成された弁箱に螺合されるリング状の弁座部材であって、前記雌ねじ部に螺合される雄ねじ部が形成されていることを特徴とする弁座部材。
【請求項５】
前記雄ねじ部は前記弁座部材の外周面に形成されていることを特徴とする請求項４記載の弁座部材。
【請求項６】
雄ねじ部が形成されたリング状の弁座部材が螺合する筒状の弁箱であって、前記雄ねじ部が螺合する雌ねじ部が形成されていることを特徴とする弁箱。
【請求項７】
前記雌ねじ部は前記弁箱の内周面に形成されていることを特徴とする請求項６記載の弁箱。
【請求項８】
雄ねじ部を備える弁箱に雌ねじ部を備える弁座部材を取り付ける弁座部材の取付方法において、
前記弁箱に前記弁座部材を挿入する工程と、
前記弁箱に形成された雌ねじ部に前記弁座部材に形成された雄ねじ部を螺合させる工程と、を有することを特徴とする弁座部材の取付方法。
【発明の詳細な説明】
【技術分野】
【０００１】
本発明は、バルブ、弁座部材、弁箱、及び弁座部材の取付方法に関する。
【背景技術】
【０００２】
従来より、筒状の鋳鉄製弁箱、弁箱の内周面に形成されている弁座、弁箱に格納され且つ弁座に着座可能な弁体、並びに、弁箱及び弁体を接続する弁棒備え、弁体が弁棒を中心軸として回動するバタフライ弁が、知られている（例えば、特許文献１参照）。特許文献１記載のバタフライ弁は流体が流れる管路に接続され、弁体が弁座に着座したとき、管路を流れる流体は堰き止められる。
【０００３】
弁体が着座する弁座は、例えば、ステンレス製であり、弁座は、通常、鋳鉄製の弁箱の内周面に形成される。具体的に、弁座は、弁箱の内周面の一部が削られるとともに、削られた部分にニッケル金属及びステンレスが順次溶接され、ステンレスの表面に切削加工が施されることによって形成される。
【先行技術文献】
【特許文献】
【０００４】
【特許文献１】特開２０１１−２２０４７０号公報
【発明の概要】
【発明が解決しようとする課題】
【０００５】
しかしながら、弁体が弁座に着座し、管路を流れる流体を確実に堰き止めるためには、ステンレスの表面に施される切削加工は精密になされなければならず、高い専門性と経験が必要になる。また、ステンレス製の弁座を鋳鉄製の弁箱の内周面に形成するためには、弁箱を削る工程からステンレスの表面に切削加工を施す工程まで複数の工程が必要であり、その結果、弁座を弁箱に形成するために長時間の作業が必要になる。すなわち、弁箱の内周面に簡単に弁座を形成することができないという問題があった。
【０００６】
本発明の目的は弁箱の内周面に簡単に弁座を形成することができるバルブ、弁座部材、弁箱及び弁座部材の取付方法を提供することを目的とする。
【課題を解決するための手段】
【０００７】
上記目的を達成するために、本発明のバルブは、流体が通過する流体通過面を有する弁箱と、前記流体通過面に形成される雌ねじ部と、前記雌ねじ部に対応する雄ねじ部を有するリング状の弁座部材と、を備え、前記雄ねじ部は前記弁座部材の外周面に形成され、前記雌ねじ部に螺合することを特徴とする。
【０００８】
本発明によれば、弁箱の内周面に簡単に弁座を形成することができる。
【図面の簡単な説明】
【０００９】
【図１】本発明の実施の形態に係るバタフライ弁の概略図であって、図１（Ａ）はバタフライ弁の正面図であり、図１（Ｂ）はバタフライ弁の側面図である。
【図２】図１における弁箱の斜視図である。
【図３】図１のバタフライ弁のＡ−Ａ線に沿う断面図である。
【図４】図３における領域Ｃの拡大図である。
【図５】図１における弁座部材の斜視図である。
【図６】図１のバタフライ弁のＢ−Ｂ線に沿う断面図である。
【発明を実施するための形態】
【００１０】
以下、本発明の実施の形態について図面を参照しながら詳述する。
【００１１】
図１は、本発明の実施の形態に係るバタフライ弁１の概略図であって、図１（Ａ）はバタフライ弁１の正面図であり、図１（Ｂ）は、バタフライ弁１の側面図である。
【００１２】
図１のバタフライ弁１は、鋳鉄製の弁箱２、弁箱２に格納される略円盤状の弁体４、閉塞部材８ａ，８ｂ、及びステンレス製の弁座部材１２を備える。弁箱２は中心軸Ｏを有する筒状の形状であり、周方向に沿って弁箱外周面２ａと、弁箱外周面２ａよりも中心軸Ｏ側に配置され且つ流体が通過する弁箱内周面２ｂ（流体通過面）とを有する。弁箱２の内径は中心軸Ｏに沿って変化してもよい。また、弁箱２の両端部の各々はフランジ部５ａ、５ｂを有する。フランジ部５ａ，５ｂは、流体が流れる流路、例えば、水道管に連結される。具体的に、水道管にフランジ部が取り付けられ、水道管に取り付けられたフランジ部とフランジ部５ａ、５ｂとがボルト及びナット等で連結される。本実施の形態では、バラフライ弁１は水道管に接続され、水道管を流れる水がフランジ部５ａ側の流体流入口Ｍから流入してフランジ部５ｂ側の流体流出口Ｎから流出することを前提とする。
【００１３】
弁体４は後述の弁軸３が挿通するための弁軸挿通部（不図示）を備える。弁軸３は弁軸挿通部を介して弁体４を貫通し、弁軸挿通部の両端から突出する。閉塞部材８ａ，８ｂは中心軸Ｏに直交する方向であって弁箱外周面２ａに配置され、弁軸挿通部の両端から突出した弁軸３の両端を保持する。すなわち、弁軸３は閉塞部材８ａ，８ｂで固定され、弁体４は弁軸３を中心に回動する。
【００１４】
図２は、図１における弁箱２の斜視図である。
【００１５】
図２の弁箱２は挿通孔７ａ，７ｂを備え、挿通孔７ａ，７ｂは中心軸Ｏに直交する方向に配置される。弁軸挿通部の両端から突出した弁軸３の両端は挿通孔７ａ，７ｂを介して閉塞部材８ａ，８ｂに保持される。すなわち、バタフライ弁１は、後述の弁軸３が挿通孔７ａ、弁軸挿通部、及び挿通孔７ｂに順次挿通され、閉塞部材８ａ，８ｂが弁軸３の両端に取り付けられることによって組み立てられる。
【００１６】
図３は、図１のバタフライ弁１のＡ−Ａ線に沿う断面図である。
【００１７】
図３のバタフライ弁１は、中心軸Ｏに直交し且つ弁体４が回動する際の回動軸Ｐを備え、回動軸Ｐの流体流出口Ｎ側には弁座部材１２を備える。弁座部材１２は弁箱内周面２ｂに設けられた弁座受部１０に取り付けられている。
【００１８】
図４は、図３における領域Ｃの拡大図であり、弁座受部１０周辺を説明するための図である。
【００１９】
図４の弁座受部１０は、弁座部材１２を取り付けるための雌ねじ部１０ａと、弁箱内周面２ｂから中心軸Ｏ側に突出し、弁座部材１２が取り付けられる位置を決定するための位置決定部１０ｂとを有する。本実施の形態の弁座部材１２はリング状であり、弁座中心軸Ｑを有すると共に、弁座部材１２の周方向に沿って弁座部材外周面１２ａと、弁座部材外周面１２ａよりも弁座中心軸Ｑ側に配置される弁座部材内周面１２ｃと、弁座受部１０に弁座部材１２が取り付けられたときに位置決定部１０ｂに当接する当接部１２ｂとを有し、弁座部材外周面１２ａには雌ねじ部１０ａに対応する雄ねじ部１２ｅが形成されている（図５）。当接部１２ｂ及び位置決定部１０ｂのいずれか一方には凹部が形成されるが、本実施の形態では、当接部１２ｂに凹部が形成されていることを前提とする。凹部にはＯリング１４が嵌合され、凹部に嵌合されていないＯリング１４の断面形状は円形であるが、Ｏリング１４が凹部に嵌合され且つ弁座部材１２が弁座受部１０に取り付けられ、当接部１２ｂが位置決定部１０ｂに当接すると、Ｏリング１４は変形し、Ｏリング１４の断面形状は、例えば、楕円形になる。
【００２０】
図３に戻り、弁箱２は、流体流入口Ｍ側の端部から弁座受部１０までの弁箱２の内径が弁座部材１２の外径（最大径）よりも大きくなるように構成されている。したがって、弁座部材１２を弁座受部１０に取り付けるために、まず、弁座部材１２は中心軸Ｏ及び弁座中心軸Ｑが重畳するように流体流入口Ｍから弁箱２の内部に挿入され、雄ねじ部１２ｅが雌ねじ部１０ａに接触するまで挿入される。次いで、当接部１２ｂが位置決定部１０ｂに当接するまで雄ねじ部１２ｅは雌ねじ部１０ａに螺合される。弁座部材１２が弁座部材１０に螺合され、当接部１２ｂが位置決定部１０ｂに当接すると、弁座受部１０への弁座部材１２の取り付けが終了する（弁座部材の取付方法）。
【００２１】
弁座部材内周面１２ｃは少なくともその一部に、流体流出口Ｎから流体流入口Ｍに向けて弁座部材１２が拡径するように中心軸Ｏに対して傾斜するテーパー部１２ｄを有する。テーパー部１２ｄに弁体４の外縁部が当接すると、流体流入口Ｍから流入した水は弁体４で堰き止められる。なお、弁体４の外縁部には、ゴムライニング加工が施されていてもよく、ステンレス系金属やアルミニウム等で金属加工が施されていてもよい。
【００２２】
図６は、図１のバタフライ弁のＢ−Ｂ線に沿う断面図である。
【００２３】
図６のバタフライ弁１は、弁軸３を備え、弁軸３は弁軸挿通部を介して弁体４を支持する。弁体４はその外縁部が弁座部材１２に当接し、流体流入口Ｍから流入した水が流体流出口Ｎから流出しない状態（以下、「閉弁状態」という。）からその外縁部が弁座部材１２に当接せず、流体流入口Ｍから流入した水が流体流出口Ｎから流出する状態（以下、「開弁状態」という。）に弁軸３を中心に回動し、又は開弁状態から閉弁状態に弁軸３を中心に回動する。なお、本実施の形態では、閉弁状態から開弁状態になるように回動するときに弁体４が経由するルートと開弁状態から閉弁状態になるように回動するときのルートは同一であることを前提とする。
【００２４】
本実施の形態に係るバタフライ弁１は弁箱内周面２ｂを有する弁箱２を備え、弁箱内周面２ｂは弁座受部１０を有する。弁座受部１０には、バタフライ弁１の弁座となるリング状の弁座部材１２が取り付けられる。弁座受部１０は雌ねじ部１０ａを有し、弁座部材１２は雌ねじ部１０ａに対応する雄ねじ部１２ｅを有し、雄ねじ部１２ｅは雌ねじ部１０ａに螺合される。これにより、高い専門性と経験を必要とする複数の工程、例えば、弁箱内周面２ｂの一部を削り取る削取工程、弁箱内周面２ｂの削られた部分にニッケル金属及びステンレスを順次溶接する溶接工程、及びステンレスの表面に切削加工を施す切削加工工程に代えて弁座部材１２（雄ねじ部１２ｅ）を弁箱２（雌ねじ部１０ａ）に螺合させる螺合工程に基づいて弁座が弁箱２に形成されるので、弁箱２の内周面に簡単に弁座を形成することができる。
【００２５】
また、弁箱２は、流体流入口Ｍ側の端部から弁座受部１０までの弁箱２の内径が弁座部材１２の外径（最大径）よりも大きくなるように構成されている。これにより、簡単に弁座部材１２を弁座受部１０まで挿入することができる。さらに、弁座受部１０は位置決定部１０ｂを有し、弁座部材１２は当接部１２ｂを有する。当接部１２ｂは位置決定部１０ｂに当接し、位置決定部１０ｂの流体流出口Ｎ側への移動が規制される。これにより、開弁状態の際に水が流体流入口Ｍから流入しても弁座部材１２が流入した水とともに位置決定部１０ｂの流体流出口Ｎ側に移動するのを防止することができる。また、当接部１２ｂに形成された凹部にＯリング１４が嵌合され、弁座部材１２が弁座受部１０に取り付けられ、当接部１２ｂが位置決定部１０ｂに当接すると、Ｏリング１４は変形する。これにより、閉弁状態の際に流体流入口Ｍから流入した水が雌ねじ部１０ａ及び雄ねじ部１２ｅの間に滲入しても当接部１２ｂ及び位置決定部１０ｂの間で確実に止水することができる。
【００２６】
ところで、鋳鉄製の弁箱２にステンレス製の弁座を直接溶接して形成すると、弁座が弁箱２から剥離する場合がある。したがって、鋳鉄製の弁箱２にニッケル金属及びステンレスを順次溶接する必要があるが、鋳鉄製の弁箱２とステンレス製の弁座との間にニッケル金属が介在すると、弁座は弁箱２から剥離しないものの、高価なニッケル金属を使用するため、バルブの価格が高いという問題があった。これに対応して、本実施の形態に係るバタフライ弁１はニッケル金属を使用していないので、バタフライ弁１の価格を低廉にすることができる。
【００２７】
なお、本実施の形態では、弁座部材１２は回動軸Ｐの流体流出口Ｎ側に配置されている。すなわち、弁座部材１２が取り付けられている弁座受部１０も回動軸Ｐの流体流出口Ｎ側に配置されている。弁座受部１０は弁箱内周面２ｂに形成されていればよく、例えば、回動軸Ｐ上に形成されてもよい。また、本実施の形態では、リング状の弁座部材１２が取り付けられたバタフライ弁１を説明したが、他のバルブ、例えば、仕切弁に弁座部材１２を取り付けてもよい。さらに、本実施の形態では、弁座部材１２がステンレス製であるとしたが、他の金属部材、例えば、アルミニウム等であってもよい。
【００２８】
次に、本発明の実施の形態に係るバタフライ弁１の変形例について説明する。
【００２９】
バタフライ弁１が備える弁箱２は、例えば、弁箱２に対応する砂型に熔解した鉄を流し込む工程、熔解した鉄が流し込まれた砂型を冷却して熔解した鉄を凝固する工程、及び砂型から凝固した鉄を取り出す工程を順次実行することにより得られる。すなわち、弁箱２は複数の部材から構成されているのではなく、単一の部材から構成されている。しかしながら、例えば、大型の弁箱２が製造されるとき、運搬や保管、設置が容易であるため、弁箱２が複数の部材で構成されているのがよい。これに対応して、本変形例に係るバタフライ弁１の弁箱２は、中心軸Ｏの方向に関して結合可能な複数の部材（以下、「弁箱用部材」という。）から構成され、各弁箱用部材には弁座受部１０が形成されている。
【００３０】
複数の弁箱用部材を結合するとき、複数の弁箱用部材は、通常、各弁箱用部材の一端を揃えるように結合されるが、各弁箱用部材の一端を揃えることが困難な場合がある。本変形例に係る弁箱２は複数の弁箱用部材から構成され、各弁箱用部材には弁座受部１０が形成されているので、各弁箱用部材は各弁箱用部材の弁座受部１０に基づいて結合される。したがって、各弁箱用部材の弁座受部１０は各弁箱用部材を正確に結合する際の目印になる。これにより、弁箱２が複数の弁箱用部材から構成されていても簡単に各弁箱用部材を結合することができる。
【００３１】
以上、本発明について、上述した実施の形態を用いて説明したが、本発明は上述した実施の形態に限定されるものではない。
【符号の説明】
【００３２】
１  バタフライ弁
２  弁箱
２ｂ  弁箱内周面
４  弁体
１０  弁座受部
１０ａ  雌ねじ部
１０ｂ  位置決定部
１２  弁座部材
１２ｂ  当接部
１２ｃ  弁座部材内周面
１２ｅ  雄ねじ部
【図１】
2018119576.tif 000003
【図２】
2018119576.tif 000004
【図３】
2018119576.tif 000005
【図４】
2018119576.tif 000006
【図５】
2018119576.tif 000007
【図６】
2018119576.tif 000008